(57)【要約】【課題】適切なメンテナンス時期の到来情報を提供し得るメンテナンス情報提供装置を提供する。【解決手段】メンテナンス情報提供装置では、非常用発電装置の動作環境が過酷であるほど重く穏和であるほど軽くなるように設定された重み付けに従って、時間の経過とともに増加するパラメータ値が、装置属性情報に基づいて予め設定された閾値を超えた場合（Ｓ１１１；Ｙｅｓ）、メンテナンス時期の到来情報をディスプレィやプリンタに出力する（Ｓ１１９）。これにより、非常用発電装置の動作環境が穏和である場合に比べて動作環境が過酷であるほど早期にパラメータ値が閾値を超えてメンテナンス時期の到来情報がディスプレィ等に出力される。重み付けは、非常用発電装置の設置場所が含まれる地域の気象情報に基づいて軽重が変動するため（Ｓ１０７）、非常用発電装置の動作環境の変化も含めたメンテナンス時期の到来情報の出力が可能になる。【選択図】図３
2015220879.tif 000002
【特許請求の範囲】
【請求項１】
保守、点検、修理等のメンテナンス作業を行うべき時期の到来情報を提供するメンテナンス情報提供装置であって、
前記メンテナンス作業の対象となる機器装置に関する装置属性情報および前記機器装置が設置された場所の周囲環境に関する環境属性情報を記憶する属性情報記憶部と、
「前記属性情報記憶部に記憶された前記環境属性情報に基づいて前記機器装置の動作環境が過酷であるほど重く穏和であるほど軽くなるように設定された重み付け」に従って、時間の経過とともに増加するパラメータ値が、前記装置属性情報に基づいて予め設定された閾値を超えた場合、メンテナンス時期の到来情報を出力装置に出力する到来情報出力部と、を備え、
前記重み付けは、前記機器装置の設置場所が含まれる地域または地方の気象情報に基づいて軽重が変動することを特徴とするメンテナンス情報提供装置。
【請求項２】
前記装置属性情報に関するデータを前記機器装置から取得するデータ取得部を、さらに備えている場合において、前記重み付けは、前記データ取得部により取得されたデータに基づいて軽重が変動することを特徴とする請求項１に記載のメンテナンス情報提供装置。
【請求項３】
前記機器装置は、発電機駆動用のエンジンを備えた非常用発電装置であって、異なる地域または地方に複数存在し、
前記装置属性情報は、前記エンジン、前記エンジンのセルモータを駆動するバッテリ、前記エンジンの冷却水、前記セルモータ等のエンジン補機類を制御する制御ユニットまたは前記非常用発電装置の筐体構造、のいずれか１つ以上に関する情報であることを特徴とする請求項１または２に記載のメンテナンス情報提供装置。
【請求項４】
前記機器装置は、屋外に設置された無停電電源装置であって、異なる地域または地方に複数存在し、
前記装置属性情報は、電源バックアップ用のバッテリ、前記バッテリの充電を制御する制御ユニットまたは前記無停電電源装置の筐体構造、のいずれか１つ以上に関する情報であることを特徴とする請求項１または２に記載のメンテナンス情報提供装置。
【発明の詳細な説明】
【技術分野】
【０００１】
本発明は、保守、点検、修理等のメンテナンス作業を行うべき時期の到来情報を提供するメンテナンス情報提供装置に関するものである。
【背景技術】
【０００２】
メンテナンス情報の提供に関する技術として、例えば、下記特許文献１に開示される「メンテナンス情報提供システム」がある。この技術では、メンテナンス情報提供装置によって各情報家電の状態を通信回線を介して監視し、情報家電の状態と予め定められた閾値とに基づいて当該情報家電のユーザにメンテナンス情報を通知する。情報家電は、住宅内で使用される機器装置である。そのため、屋外や戸外に設置される機器装置に比べて穏和な動作環境が提供されているものが多い。
【０００３】
例えば、下記特許文献２に開示される「非常用発電装置」は、発電機の駆動力源としてディーゼルエンジンを用いる。そのため、非常用発電装置は、排気ガスの排煙の容易さからビルの屋上に設置されて、屋内で使用される情報家電に比べると過酷な動作環境に置かれることが多い。非常用発電装置では、消防法に基づいて、例えば、６か月や１年等の一定期間ごとにメンテナンス作業が行われるが、緊急時に正常に動作しない場合もあり得る。そのため、下記特許文献２の技術では、遠隔制御による非常用発電装置の保全管理を可能にしている。
【先行技術文献】
【特許文献】
【０００４】
【特許文献１】特開２０１０−１７６６００号公報
【特許文献２】特開２００６−０４６０７０号公報
【発明の概要】
【発明が解決しようとする課題】
【０００５】
しかしながら、特許文献２の開示技術によると、非常用発電装置に対する遠隔制御を定期または不定期に行うにしても、安全確認の必要上、作業員による操作を前提にしており作業が煩雑になり易い（特許文献２；段落００１５）。また、保全管理の都度、エンジンを起動させるため、１か月に２回以上の保全管理は不要な燃料消費を招く（特許文献２；段落００１４）。
【０００６】
本発明は、上述した課題を解決するためになされたもので、適切なメンテナンス時期の到来情報を提供し得るメンテナンス情報提供装置を提供することを目的とする。
【課題を解決するための手段】
【０００７】
上記目的を達成するため、特許請求の範囲の請求項１に記載されたメンテナンス情報提供装置は、保守、点検、修理等のメンテナンス作業を行うべき時期の到来情報を提供するメンテナンス情報提供装置であって、前記メンテナンス作業の対象となる機器装置に関する装置属性情報および前記機器装置が設置された場所の周囲環境に関する環境属性情報を記憶する属性情報記憶部と、「前記属性情報記憶部に記憶された前記環境属性情報に基づいて前記機器装置の動作環境が過酷であるほど重く穏和であるほど軽くなるように設定された重み付け」に従って、時間の経過とともに増加するパラメータ値が、前記装置属性情報に基づいて予め設定された閾値を超えた場合、メンテナンス時期の到来情報を出力装置に出力する到来情報出力部と、を備え、前記重み付けは、前記機器装置の設置場所が含まれる地域または地方の気象情報に基づいて軽重が変動することを技術的特徴とする。
【０００８】
請求項１に記載のメンテナンス情報提供装置は、属性情報記憶部と到来情報出力部を備えており、環境属性情報に基づいて機器装置の動作環境が過酷であるほど重く穏和であるほど軽くなるように設定された重み付けに従って、時間の経過とともに増加するパラメータ値が、装置属性情報に基づいて予め設定された閾値を超えた場合、メンテナンス時期の到来情報を出力装置に出力する。これにより、機器装置の動作環境が穏和である場合に比べて動作環境が過酷であるほど早期にパラメータ値が閾値を超えてメンテナンス時期の到来情報が出力装置に出力される。また、この重み付けは、機器装置の設置場所が含まれる地域または地方の気象情報に基づいて軽重が変動する。例えば、設置場所の気温や降水量が機器装置の動作に影響を及ぼし得る場合には、当該機器装置に対して、過酷な動作環境を構成する気温や降水量に近いほど重み付けを重く、穏和な動作環境を構成する気温や降水量に近いほど重み付けを軽く、それぞれ設定する。これにより、設置場所の気象条件により左右される機器装置の動作環境の変化も含めたメンテナンス時期の到来情報の出力が可能になる。
【０００９】
また、特許請求の範囲の請求項２に記載されたメンテナンス情報提供装置は、請求項１に記載のメンテナンス情報提供装置において、前記装置属性情報に関するデータを前記機器装置から取得するデータ取得部を、さらに備えている場合において、前記重み付けは、前記データ取得部により取得されたデータに基づいて軽重が変動することを技術的特徴とする。
【００１０】
請求項２に記載のメンテナンス情報提供装置は、データ取得部が装置属性情報に関するデータを機器装置から取得し、そのデータに基づいて重み付けの軽重が変動する。これにより、メンテナンス作業の対象となる機器装置に固有の装置属性情報に関するデータに基づいて重み付けの軽重が設定されることから、機器装置のそれぞれに異なり得るメンテナンス時期の到来情報の出力が可能になる。
【００１１】
また、特許請求の範囲の請求項３に記載されたメンテナンス情報提供装置は、請求項１または２に記載のメンテナンス情報提供装置において、前記機器装置は、発電機駆動用のエンジンを備えた非常用発電装置であって、異なる地域または地方に複数存在し、前記装置属性情報は、前記エンジン、前記エンジンのセルモータを駆動するバッテリ、前記エンジンの冷却水、前記セルモータ等のエンジン補機類を制御する制御ユニットまたは前記非常用発電装置の筐体構造、のいずれか１つ以上に関する情報であることを技術的特徴とする。
【００１２】
請求項３に記載のメンテナンス情報提供装置は、機器装置が非常用発電装置である場合には、エンジン、エンジンのセルモータを駆動するバッテリ、エンジンの冷却水、セルモータ等のエンジン補機類を制御する制御ユニットまたは非常用発電装置の筐体構造、のいずれか１つ以上に関する情報を装置属性情報とする。これにより、非常用発電装置として、故障原因になり易い構成要素に基づいて閾値が設定されるため、高精度なメンテナンス時期の到来情報の出力が可能になる。
【００１３】
また、特許請求の範囲の請求項４に記載されたメンテナンス情報提供装置は、請求項１または２に記載のメンテナンス情報提供装置において、前記機器装置は、屋外に設置された無停電電源装置であって、異なる地域または地方に複数存在し、前記装置属性情報は、電源バックアップ用のバッテリ、前記バッテリの充電を制御する制御ユニットまたは前記無停電電源装置の筐体構造、のいずれか１つ以上に関する情報であることを技術的特徴とする。
【００１４】
請求項４に記載のメンテナンス情報提供装置は、機器装置が屋外設置の無停電電源装置である場合には、電源バックアップ用のバッテリ、バッテリの充電を制御する制御ユニットまたは無停電電源装置の筐体構造、のいずれか１つ以上に関する情報を装置属性情報とする。これにより、無停電電源装置として、故障原因になり易い構成要素に基づいて閾値が設定されるため、高精度なメンテナンス時期の到来情報の出力が可能になる。
【発明の効果】
【００１５】
本発明のメンテナンス情報提供装置では、機器装置の動作環境が穏和である場合に比べて動作環境が過酷であるほど早期にパラメータ値が閾値を超えてメンテナンス時期の到来情報が出力され、また設置場所の気象条件により左右される機器装置の動作環境の変化も含めたメンテナンス時期の到来情報の出力が可能になる。したがって、適切なメンテナンス時期の到来情報を提供することができる。
【００１６】
また、本発明のメンテナンス情報提供装置では、メンテナンス作業の対象となる機器装置に固有の装置属性情報に関するデータに基づいて重み付けの軽重が設定されることから、機器装置のそれぞれに異なり得るメンテナンス時期の到来情報の出力が可能になる。したがって、正確かつ適切なメンテナンス時期の到来情報を提供することができる。
【図面の簡単な説明】
【００１７】
【図１】本発明の一実施形態に係るメンテナンス情報提供装置の構成例と同装置をインターネットに接続した場合の例を示す構成図である。
【図２】メンテナンス対象の非常用発電装置の構成例を示すブロック図である。
【図３】本実施形態のメンテナンス情報提供装置により実行されるメンテナンス時期告知処理の流れを示すフローチャートである。
【図４】改変例によるメンテナンス時期告知処理の流れを示すフローチャートである。
【図５】メンテナンス対象の無停電電源装置の構成例を示すブロック図である。
【発明を実施するための形態】
【００１８】
以下、本発明のメンテナンス情報提供装置の実施形態について図を参照して説明する。本実施形態に係るメンテナンス情報提供装置の構成例を図１に基づいて説明する。なお、図１には、本実施形態に係るメンテナンス情報提供装置１０の構成例と同装置１０をインターネット１００に接続した場合の例を示す構成図が図示されている。
【００１９】
図１に示すように、メンテナンス情報提供装置１０は、複数の非常用発電装置５０を管理する情報提供装置であり、本実施形態では、特に、保守、点検、修理等のメンテナンス作業を行うべき時期の到来情報を提供する。非常用発電装置５０は、メンテナンス作業の対象であり、特許請求の範囲に記載の「機器装置」に相当し得る。メンテナンス情報提供装置１０には、例えば、汎用仕様のパーソナルコンピュータ（以下「パソコン」という）が用いられる。パソコンは、主に、本体部１１、ディスプレィ１２、ハードディスク１３等から構成されており、後述するメンテナンス時期告知プログラムを実行し得る。
【００２０】
本体部１１は、ＣＰＵ、メモリや入出力インタフェース等により構成されるコンピュータの本体である。本体部１１には、ディスプレィ１２、ハードディスク１３、プリンタ１５や通信装置１９が接続されている。本体部１１のＣＰＵは、ハードディスク１３に格納されたメンテナンス時期告知プログラムをメモリに読み出して後述する情報処理を行う。ディスプレィ１２は、本体部１１に接続される出力装置（例えば、液晶表示装置）であり、当該本体部１１による情報処理の結果、例えば、メンテナンス時期の到来情報等を画面に表示可能に構成されている。なお、本体部１１は、特許請求の範囲に記載の「到来情報出力部」および「データ取得部」に相当し得るものである。
【００２１】
ハードディスク１３は、本体部１１に内蔵または外付けされて本体部１１に接続される情報記憶媒体であり、汎用ＯＳや後述するメンテナンス時期告知プログラムがインストールされている。ハードディスク１３には、当該メンテナンス情報提供装置１０が管理をする、複数の非常用発電装置５０が設置された個々の地点の情報（地点情報）が、例えば、緯度・経度または住所表記で記憶されている。また、これら非常用発電装置５０の個々に対応する後述の装置属性情報もハードディスク１３に記憶されている。ハードディスク１３は、特許請求の範囲に記載の「属性情報記憶部」に相当し得るものである。
【００２２】
プリンタ１５は、本体部１１に接続される出力装置であり、本体部１１から出力されるメンテナンス時期の到来情報等、情報処理の結果を印刷可能に構成されている。なお、このプリンタ１５と前述のディスプレィ１２は、特許請求の範囲に記載の「出力装置」に相当し得るものである。
【００２３】
通信装置１９は、本体部１１とインターネット接続事業者（ＩＳＰ）等との間に介在して本体部１１をインターネット１００に接続可能にするものであり、例えば、ＩＳＰがサポートする加入者網終端装置（ＣＴＵ）や光回線終端装置（ＯＮＵ）等がこれに相当する。このほか、本体部１１には、図略のキーボード、マウス等の入力装置が接続されており、当該パソコンに対するオペレータの入力操作はこれらにより行われる。
【００２４】
なお、インターネット１００は、データを伝送する情報通信回線網の一例であり、インターネットプロトコル（ＩＰ）を使用してコンピュータを相互接続するコンピュータネットワークである。メンテナンス情報提供装置１０に接続される情報通信回線網としては、このほか、通信事業者が提供する閉域通信網、専用線や公衆回線網等であってもよい。
【００２５】
インターネット１００には、当該メンテナンス情報提供装置１０が管理をする複数の非常用発電装置５０や、これらの非常用発電装置５０が設置されている地域または地方の気象情報を提供する気象情報提供事業者の気象情報提供装置（サーバ）９０も接続されている。メンテナンス情報提供装置１０は、気象情報提供装置９０から提供される気象情報に基づいて、後述するように、これら非常用発電装置５０のメンテナンス時期の到来情報を提供可能にしている。
【００２６】
次に、非常用発電装置５０の構成を図１および図２を参照して説明する。図２には、メンテナンス対象としてメンテナンス情報提供装置１０に管理される非常用発電装置５０のブロック図が図示されている。
【００２７】
非常用発電装置５０は、主に、エンジン（ＥＮＧ）５２、発電機（ＧＥＮ）５３、セルモータ（ＣＭ）５４、バッテリ（ＢＡＴ）５５、制御ユニット（ＣＮＴ）５６、燃料タンク５７等により構成されており、これらは、例えば金属製の筐体５１内に収容されている。非常用発電装置５０は、非常時にエンジン５２を使用して発電機５３を作動させて負荷に電源を供給するものである。「負荷」としては、オフィスビルや病院等の、エアコン、エレベータ、照明機器等の電気機械設備やスプリンクラー、防火シャッタ、火災報知機等の防火排煙設備が例示される。非常用発電装置５０は、エンジン５２が排出する排気ガスを容易に外部に排煙するため、例えば、ビルの屋上等、屋外や戸外に設置されている。
【００２８】
エンジン５２は、ピストンエンジンやガスタービンエンジン等の内燃機関であり、発電機５３に対して回転エネルギーを与える駆動力源である。本実施形態では、ディーゼルエンジンを使用しており、発電機５３の出力容量の大きさに依存して発電機５３の出力容量が大きければ、エンジン５２の排気量が大きくなるように設定されている。エンジン５２の起動や停止等の運転を制御するための補機類として、起動制御をするセルモータ５４、燃料タンク５７からエンジン５２に燃料Ｆを供給制御する燃料ポンプ５８、図略の、予熱ヒータ、停止ソレノイドやラジエータ等が設けられている。なお、本実施形態では、エンジン５２の冷却は、エンジン５２のウォータージャケットを流れる冷却水をラジエータに流通させて放熱するラジエータ冷却方式で行われるが、外気を取り込んでエンジン５２を冷却をする空冷方式もある。エンジン５２は、排気量や冷却方式の差異によって、エンジン５２を構成する部品点数や構造が異なる。
【００２９】
発電機５３は、エンジン５２による回転エネルギーを電磁誘導により電気エネルギーに変換して交流電力を発生させる電力機器であり、この発電機５３から出力される交流電力が非常用の電源になる。図示していないが、この非常用発電装置５０には、発生した非常用電力を送電するための負荷送電線が接続されている。
【００３０】
制御ユニット５６は、エンジン５２の起動や停止をはじめ、各種運転状態の制御をしたり、それに付随する種々の制御をしたりするコンピュータ装置である。制御ユニット５６は、図略の、ＣＰＵ、メモリ、ＥＥＰＲＯＭ、入出力インタフェース、操作パネル、通信インタフェース等から構成されており、セルモータ５４、燃料ポンプ５８、予熱ヒータや停止ソレノイド等が接続されている。制御ユニット５６のメモリには、エンジン５２を起動したり、停止したりする制御プログラム等が記憶されている。なお、制御ユニット５６には、商用電源の電圧を計測する図略の電圧センサも接続されており、商用電源の停電の発生を検出可能に構成されている。
【００３１】
バッテリ５５は、所定の直流電圧（例えば２４Ｖ）を発生し得る充電可能な二次電池であり、前述したセルモータ５４、燃料ポンプ５８や予熱ヒータのほかに、制御ユニット５６にも電気的に接続されている。これにより、外部から電力の供給を受けることなく、エンジン５２の起動や制御ユニット５６の駆動を可能にしている。バッテリ５５は、典型的には鉛蓄電池であり、構造上、シール鉛蓄電池（制御弁式）と液式鉛蓄電池（ベント形）がある。また電極の種類により、クラッド式、ペースト式およびチュードル式に分類される。バッテリ５５は、構造や電極の種類によって、温度特性や寿命等が異なる。
【００３２】
通信装置５９は、非常用発電装置５０をインターネット１００に接続可能にするものであり、前述したメンテナンス情報提供装置１０を構成する通信装置１９と同様である。そのため、通信装置５９は、例えば、加入者網終端装置（ＣＴＵ）や光回線終端装置（ＯＮＵ）等に相当する。なお、非常用発電装置５０に設けられる通信装置５９には、当該非常用発電装置５０を一意に特定可能な識別子（ＩＤ）が予め付与されており、メンテナンス情報提供装置１０は、この識別子により複数の非常用発電装置５０から特定の非常用発電装置５０を識別する。識別子は、例えば、ＩＰアドレスやＭＡＣアドレスである。
【００３３】
エンジン５２、発電機５３、セルモータ５４、バッテリ５５、制御ユニット５６等は、筐体５１内に収容されている。筐体５１は、通常、金属板で構成されており、外部から雨水や塵埃の侵入を防ぐため、防水および防塵対策が施されている。金属板の表面は、白色や薄い灰色等の比較的明るい色に塗装されており、太陽光の照射による吸熱を抑制している。また、非常用発電装置５０が、沿岸部等の地理的に海に近い地域に設置されている場合には、筐体５１の金属板は、錆の発生を抑制する防錆加工（例えば、防錆塗装、防錆メッキ等）が施されている。さらに、幹線道路や鉄道の沿線地域の地表に設置されている場合には、地面を介して伝わり得る振動を抑制する防振対策を施しているものもある。
【００３４】
本実施形態の非常用発電装置５０は、複数のセンサを備えている。例えば、バッテリ５５の出力電圧を計測する電圧センサや、発電機５３から出力される交流電圧を計測する電圧センサである。また、ラジエータを流れる冷却水の温度を計測する温度センサや、ラジエータの冷却水の水量を計測可能な液量センサ、筐体５１内の気温を計測する温度センサ、さらには筐体５１内の湿度を計測する湿度センサを備える。また、燃料タンク５７に貯留されている燃料量の液面（液量）を計測可能な液位センサ（液量センサ）を備えている場合もある。さらにエンジンオイルの液量を計測可能な液量センサを備えている場合もある。これらのセンサは、制御ユニット５６を介して、または直接、インターネット１００に接続されており、装置属性情報に関するデータとして、メンテナンス情報提供装置１０に送信される。
【００３５】
このように非常用発電装置５０を構成することにより、発電機５３が動作することなく、商用電源から電力供給される平時であっても、非常用発電装置５０は、電圧センサ等が計測したデータを、リアルタイムまたは一定時時間ごとにメンテナンス情報提供装置１０に送信することが可能になる。
【００３６】
ここで、ハードディスク１３に記憶される非常用発電装置５０の装置属性情報等について説明する。ハードディスク１３には、装置属性情報を記憶する装置属性情報データベースと、環境属性情報を記憶する環境属性情報データベースと、が設けられている。装置属性情報は、メンテナンス作業の対象となる非常用発電装置５０それ自体の構成に関する情報、つまり各非常用発電装置５０に固有の情報であり、複数の非常用発電装置５０のそれぞれに対応している。また、環境属性情報は、非常用発電装置５０が設置された場所の周囲環境に関する情報である。
【００３７】
例えば、筐体５１に施されている塗装色や、防水、防塵、防錆、防振等の各対策の有無が装置属性情報に相当する。筐体５１を構成する金属板の板厚も装置属性情報に相当する。つまり、筐体構造が装置属性情報に相当する。また、エンジン５２、発電機５３、セルモータ５４やバッテリ５５、燃料ポンプ５８のそれぞれの種類、エンジン５２の冷却方式（水冷方式か空冷方式かによる冷却水使用の有無等）等も、装置属性情報に相当する。さらに、制御ユニット５６を構成する電子部品で耐熱温度が８５℃以下の部品（例えば、電解コンデンサ）の点数や、コネクタ等の機械的に電気接続を可能にする部品の総電極数等も、装置属性情報に相当する。
【００３８】
筐体５１の塗装色は、非常用発電装置５０に直射日光が当たる設置環境において、筐体５１内の温度上昇に影響し、エンジン５２や発電機５３に比べて耐熱性が低いバッテリ５５や制御ユニット５６等の故障の発生度合いを左右する。一般に、黒色に近いほど筐体５１内の温度が上がり易い。温度に弱い部品（特に電子部品（例えば電解コンデンサ））を含む制御ユニット５６等については、温度上昇に起因する故障の発生度合いを左右する。
【００３９】
筐体５１の防水や防塵対策の有無は、筐体５１内に雨水や塵埃が侵入することにより誘因され得る、エンジン５２、発電機５３、セルモータ５４、バッテリ５５、制御ユニット５６等の故障の発生度合いに影響する。また、筐体５１を構成する金属板の板厚や防錆対策の有無は、非常用発電装置５０が潮風に晒される設置環境において、塩害による筐体５１の錆や腐食の度合いに影響し、さらに腐食箇所から雨水や粉塵が侵入し得る場合には、筐体５１の防水や防塵対策と同様に、エンジン５２等の故障の発生度合いを左右する。
【００４０】
防振対策の有無は、継続的な外部からの加振による筐体５１のねじ締結箇所のねじ緩みや、筐体５１内に収容される制御ユニット５６の電子部品やハンダ付け箇所の破損等の発生度合いに影響する。また、筐体５１の締結箇所のねじ緩みに起因して、雨水や粉塵が侵入し得る場合には、エンジン５２等の故障の発生度合いを左右する。また、振動に弱い部品（特に電子部品（例えばコネクタ））を含む制御ユニット５６等については、振動に起因する故障の発生度合いに影響を与え得る。
【００４１】
エンジン５２等の故障の発生度合いについては、エンジン５２、発電機５３、セルモータ５４やバッテリ５５、燃料ポンプ５８のそれぞれの種類、エンジン５２の冷却方式の違いにより異なる部品点数の影響を大きく受ける。一般的には、部品点数が多いほど故障の発生率（故障率）は高くなる。故障率は、信頼性計算に用いられる指標であり、例えば、単位時間当たりの発生件数（件／時間）で定義され、この逆数を平均故障間隔（ＭＴＢＦ）（時間／件）というが、これらは機器装置の稼働時間に基づく。そのため、このような故障率は、平時には停止している非常用発電装置５０には適さない。
【００４２】
そこで、本実施形態では、エンジン５２等の部品点数や、前述した筐体５１に施される塗装色や防水等の対策の有無等、非常用発電装置５０の個々について予め定められる装置属性情報に基づいて、各非常用発電装置５０に対する所定の閾値をそれぞれ設定してハードディスク１３に記憶する。これらの閾値は、上記に例示した、エンジン５２、バッテリ５５、ラジエータの冷却水、制御ユニット５６、筐体５１の構造等のいずれか１つ以上に関する情報に基づいて定められ、対応する非常用発電装置５０を一意に特定可能な識別子（ＩＤ）により該当する非常用発電装置５０に関連付けられている。
【００４３】
このような所定の閾値は、後述するメンテナンス時期告知処理によって時間の経過とともに増加するパラメータ値と比較される。このパラメータ値も、各非常用発電装置５０に対して関連付けられており、非常用発電装置５０ごとに初期値が設定されてハードディスク１３に記憶されている。例えば、時間の経過とともに一定値ごと増加すると、消防法に関連して所轄庁から告示されている点検基準等に従って、例えば６か月または１年ごとに到来する法定点検の時期にパラメータ値が前述の閾値を超え得るように、パラメータ値の初期値が設定されている。この時期は、予め設定された定期点検の時期でもよい。これにより、次に説明する重み付けのうち、最も軽い重み付け（例えば、重み=1.0）をこのパラメータ値に適用し続けた場合（動作環境が最も穏和である場合）には、後述のメンテナンス時期告知処理により出力されるメンテナンス時期を非常用発電装置５０の法定点検の時期または定期点検の時期に一致させることが可能になる。つまり、最長でも、所定の法令等に従った法定点検や予め設定された定期点検の時期には、メンテナンス時期の到来情報が出力される。
【００４４】
パラメータ値に適用される重み付けは、本実施形態では、例えば、1.0〜2.0の間の重みで設定される。パラメータ値への重み付けの適用は、例えば、パラメータ値に対する単位時間当たりの加算値に「重み」を乗算することにより行われる。重み付けされる値（重み）は、非常用発電装置５０のそれぞれに設定されている環境属性情報により決定される。即ち、当該非常用発電装置５０が設置された場所の周囲環境に関して予め設定されている環境属性情報に基づいて定められている。例えば、非常用発電装置５０の設置場所が直射日光の当たる屋外（重み=1.2）であるか、直射日光の当たらない屋外（重み=1.1）であるか、それとも排煙設備のある屋内（重み=1.0）であるか、等により重み付けが異なる。一般に、非常用発電装置５０の動作環境が過酷であるほど重く（値が大きい）、穏和であるほど軽く（値が小さい）なるように設定される。
【００４５】
重み付けの例としては、この他、非常用発電装置５０の設置場所が含まれる地域もしくは地方が、気温変動が激しい山間部（重み=1.3）であるか、穏やかな平野部（重み=1.0）であるか、潮風に晒され易い沿岸部（重み=1.5）であるか、等がある。また、設置場所が、湿度の高い地域（重み=1.2）であるとか、鉄道沿線で日常的に振動の多い場所（重み=1.2）であるとか、また粉塵の多い工場用地内等（重み=1.2）であるとか、等である。さらに標高の高い山の山頂等に設置されている場合には、低気圧環境による絶縁耐力の低下を考慮した重み付け（重み=1.3）が行われる。これらの環境属性情報は、ハードディスク１３に設けられる環境属性情報データベースに記憶されている。また、パラメータ値に適用される重み付けは、各非常用発電装置５０に対して関連付けられており、非常用発電装置５０ごとに予め設定されてハードディスク１３に記憶されている。
【００４６】
このように非常用発電装置５０ごとに予め設定される重み付けに対して、本実施形態では、インターネット１００を介して気象情報提供装置９０から得られる気象情報に基づいて軽重を変動させる。具体的には、各非常用発電装置５０が設置された個々の地点情報から、それらの非常用発電装置５０が存在する地域や地方の気象情報を気象情報提供装置９０から取得し、その時点における該当地域の天気、気温、湿度（相対湿度）、風向および風速の各情報に基づいて、重み付けを変更する。重み付けの変更は、非常用発電装置５０の動作環境が過酷であるほど重くなるように、また同動作環境が穏和であるほど軽くなるようにもしくは変動のないように行われる。
【００４７】
例えば、特定の非常用発電装置５０が存在する地域が平野部であり、その地域の天気が雨である場合には重み=0.2を増加させる。雨水の浸入が懸念されるためである。また、特定の非常用発電装置５０が存在する地域が沿岸部であり、その地域の風向および風速から当該非常用発電装置５０に潮風が吹き付けている蓋然性が高い場合には重み=0.3を増加させる。塩害による腐食が進む可能性があるためである。このほか、気温、絶対湿度についても、非常用発電装置５０の環境属性情報による周囲環境と併せた評価による重み付けの変更が行われる。
【００４８】
なお、上述した各重み付けによる重みの例は、いずれも本実施形態における技術的な説明をするために便宜的に定めたものである。実際には、非常用発電装置５０を構成する、筐体５１、エンジン５２、発電機５３、セルモータ５４、バッテリ５５、制御ユニット５６等のそれぞれの具体的な特性により定まり、実験や計算機シミュレーション等により予め定められる。
【００４９】
次に、メンテナンス情報提供装置１０によるメンテナンス時期告知処理の例について、図３および図４を参照して説明する。図３および図４には、メンテナンス情報提供装置１０により実行されるメンテナンス時期告知処理の流れを示すフローチャートが図示されている。図４に示すフローチャートは、図３に示す処理の改変例のフローチャートである。なお、これらの各処理を可能にするメンテナンス時期告知プログラムは、メンテナンス情報提供装置１０の本体部１１を構成するメモリやハードディスク１３に格納されている。
【００５０】
図３に示すメンテナンス時期告知処理は、例えば、所定時間（例えば６時間）ごとに実行される。本メンテナンス時期告知処理では、まずステップＳ１０１により所定の初期化処理が行われる。この処理では、例えば、各非常用発電装置５０に付与されている識別子（ＩＤ）に関連づけられている対象番号を「００１」に設定したり、後述する出力フラグをオフ（値「０」）に設定したり、する。対象番号は、メンテナンス情報提供装置１０が管理する複数の非常用発電装置５０に対して付与されているものであり、例えば、メンテナンス情報提供装置１０が２０台の非常用発電装置５０を管理している場合には、「００１」から「０２０」まで付与されている。
【００５１】
ステップＳ１０３では気象情報取得処理が行われる。この処理では、気象情報をインターネット１００を介して取得する。気象情報としては、例えば、気象庁や民間の気象情報の提供会社等の気象情報提供事業者が有する気象情報提供装置９０から配信されるものがある。本実施形態では、全国の気象情報を取得するのではなく、例えば、各非常用発電装置５０が設置された個々の地点情報に基づいて予め登録された地域や地方の気象情報を気象情報提供装置９０から取得する。取得した気象情報は、各非常用発電装置５０に付与されている対象番号に対応付けされる。これにより、それぞれの非常用発電装置５０が設置される地域等の気象情報が、それに対応する非常用発電装置５０の対象番号に関連づけられる。
【００５２】
ステップＳ１０５では閾値情報等取得処理が行われる。このステップＳ１０５からステップＳ１１１までは対象番号に対応する特定の非常用発電装置５０について行われる情報処理である。ここでは対象番号「００１」に対応する非常用発電装置５０を例示して説明する。ステップＳ１０５では、対象番号「００１」の非常用発電装置５０について予め設定されている所定の閾値、パラメータ値および重み付けに関する情報がハードディスク１３から取得される。
【００５３】
ステップＳ１０７では重み付け変更処理が行われる。この処理は、ステップＳ１０３により取得した気象情報から、対象番号「００１」の非常用発電装置５０の設置場所の地域または地方の天気、気温、湿度（相対湿度）、風向および風速の各情報に基づいて、重み付けを変更する。重み付けの変更は、前述したように、非常用発電装置５０の動作環境が過酷であるほど重くなるように、また同動作環境が穏和であるほど軽くなるようにもしくは変動のないように行われる。
【００５４】
ステップＳ１０９ではパラメータ値更新処理が行われる。この処理では、前回実行時からの時間経過に対してパラメータ値を更新する。即ち、対象番号「００１」の非常用発電装置５０に対応するパラメータ値に対して、前回実行時からの経過時間（例えば６時間）に相当する加算値に「重み」を乗算したものを加える。この「重み」は、ステップＳ１０７により変更された重み付けによるものである。加算演算後のパラメータ値は、対象番号「００１」の非常用発電装置５０に対応してハードディスク１３に記憶されている更新前のパラメータ値に上書きされて記憶される。
【００５５】
ステップＳ１１１では、更新後のパラメータ値が閾値を超えたか否かの判断処理が行われる。即ち、ステップＳ１０９により更新されたパラメータ値を、対象番号「００１」の非常用発電装置５０に対応する所定の閾値と比較して、パラメータ値が閾値を超えている場合には（Ｓ１１１；Ｙｅｓ）、当該非常用発電装置５０のメンテナンス作業を行う時期が到来しているため、次のステップＳ１１３により出力フラグをオンに設定する。これに対して、パラメータ値が閾値を超えていない場合には（Ｓ１１１；Ｎｏ）、当該非常用発電装置５０のメンテナンス作業を行う時期はまだ到来していないため、次のステップＳ１１３をスキップして、ステップＳ１１５に処理を移行する。
【００５６】
出力フラグは、ステップＳ１１９による到来情報出力処理の対象になるか否かを判断するために設けられており、ステップＳ１１９では、この出力フラグがオン（値「１」）になっている対象番号の非常用発電装置５０についてメンテナンス時期の到来情報を出力する。ステップＳ１１３ではステップＳ１１１によりパラメータ値が閾値を超えていると判断された対象番号の出力フラグをオン（値「１」）に設定する。
【００５７】
ステップＳ１１５では対象番号更新処理が行われる。即ち、非常用発電装置５０を特定する対象番号を次のものに更新する。先の例では、対象番号を「００１」から「００２」に更新する。なお、最も大きい対象番号についても、次の番号に更新する。先の例では、メンテナンス情報提供装置１０に管理される非常用発電装置５０は２０台であるから、最も大きい対象番号は「０２０」であるが、これを「０２１」に更新する。これにより、次のステップＳ１１７による全対象確認済みの可否判断が可能になる。
【００５８】
ステップＳ１１７では、ステップＳ１１５により更新された対象番号に基づいて、メンテナンス情報提供装置１０が管理しているすべての非常用発電装置５０について、ステップＳ１０５からステップＳ１１１までの各処理が実行されたか否かの判断が行われる。即ち、ステップＳ１１５により更新された対象番号が最も大きい対象番号を超えているか否かを判断する。先の例では、対象番号が「０２０」を超えている場合には（Ｓ１１７；Ｙｅｓ）全対象を確認したことになり、超えていない場合には（Ｓ１１７；Ｎｏ）未確認の非常用発電装置５０が存在することになる。そして、全対象を確認した場合には（Ｓ１１７；Ｙｅｓ）、次のステップＳ１１９に処理を移行し、全対象を確認していない場合には（Ｓ１１７；Ｎｏ）、ステップＳ１０５に処理を戻す。これにより、次の非常用発電装置５０に対するステップＳ１０５からステップＳ１１１までの各処理が実行される。
【００５９】
ステップＳ１１９では到来情報出力処理が行われる。この処理では、前述したように、出力フラグがオン（値「１」）になっている対象番号の非常用発電装置５０についてメンテナンス時期の到来情報を出力する。到来情報の出力は、例えば、ディスプレィ１２に所定の表示形式で行われる。プリンタ１５に対して、所定の印刷形式で印字してもよい。
【００６０】
なお、図３に示すメンテナンス時期告知処理では、インターネット１００を介して気象情報提供装置９０から気象情報を取得したのみであり、インターネット１００に接続されている各非常用発電装置５０からはデータ等を取得していない。これにより、非常用発電装置５０がインターネット１００に接続されていない場合であっても、上述したメンテナンス時期告知処理により、動作環境が穏和である場合に比べて動作環境が過酷である非常用発電装置５０ほど早期にメンテナンス時期の到来情報を提供することができ、また設置場所の気象条件により左右される非常用発電装置５０の動作環境の変化も含めたメンテナンス時期の到来情報の提供が可能になる。
【００６１】
ここで、インターネット１００に接続されている各非常用発電装置５０から、装置属性情報に関するデータを取得するように改変したメンテナンス時期告知処理の改変例について、図４を参照して説明する。なお、図３と実質的に同一の処理ステップについては、図４において同一符号を付している。
【００６２】
図４に示すように、改変例のメンテナンス時期告知処理では、ステップＳ１０３による気象情報取得処理の後、ステップＳ１０４による現在情報取得処理を行い、このステップＳ１０４により取得した各非常用発電装置５０の現在の装置属性情報に関するデータに基づいて、ステップＳ１０７による重み付け変更処理を行う。この２つの処理ステップが、図３を参照して説明したメンテナンス時期告知処理と異なる。なお、図４においては、改変例により追加した処理ステップ（Ｓ１０４）を太線枠により表している。
【００６３】
即ち、ステップＳ１０４による現在情報取得処理では、前述したように各非常用発電装置５０に設けられているセンサ、例えば、バッテリ５５の出力電圧を計測する電圧センサ、筐体５１内の気温を計測する温度センサ、筐体５１内の湿度を計測する湿度センサ、ラジエータの冷却水の水量を計測可能な液量センサ、燃料タンク５７の燃料量の液面（液量）を計測可能な液位（液量）センサ、エンジンオイルの液量を計測可能な液量センサ、等から、インターネット１００を介してメンテナンス情報提供装置１０に送信されて来るデータを取得する。取得した各データは、非常用発電装置５０の対象番号または識別子（ＩＤ）に関連づけて、本体部１１のメモリまたはハードディスク１３に一時的に記憶する。
【００６４】
これにより、個々の非常用発電装置５０から、装置属性情報に関するデータが得られることから、これらのデータのいずれか１つ以上に基づいて、ステップＳ１０７による重み付け変更処理において、前述した気象情報に基づく重み付けの変更に加えて、対象番号に対応する非常用発電装置５０の装置属性情報に基づいて、重み付けをさらに変更する。この重み付けの変更は、例えば、バッテリ５５の出力電圧が定格電圧よりも低下している場合、筐体５１内の気温が平時における規定温度を超えている場合、筐体５１内の湿度が平時における規定温度を超えている場合や、燃料タンク５７の燃料残量が規定残量未満である場合には、非常用発電装置５０の動作環境が過酷であると判断して相応の重みを付ける。また、これらのいずれの場合にも該当しないときには、装置属性情報に基づく重み付けの変更はしない。
【００６５】
このように改変例のメンテナンス時期告知処理では、ステップＳ１０４により装置属性情報に関するデータを非常用発電装置５０から取得し、ステップＳ１０７によりそのデータに基づいて重み付けを変更する。これにより、メンテナンス作業の対象となる非常用発電装置５０に固有の装置属性情報に関するデータに基づいて重み付けの軽重が設定されることから、各非常用発電装置５０のそれぞれに異なり得るメンテナンス時期の到来情報の提供が可能になる。
【００６６】
なお、図４に示すステップＳ１０４による現在情報取得処理は、重み付け変更処理（Ｓ１０７）の前であれば、例えば、ステップＳ１０５の後で実行してもよい。この場合の現在情報取得処理では、対象となる非常用発電装置５０について装置属性情報に関するデータを取得するため、ステップＳ１０４で実行した場合に比べて、取得した各データを対象番号等に関連づけて本体部１１のメモリまたはハードディスク１３に一時的に記憶させる必要がなくなる。ただし、ステップＳ１０５からステップＳ１１１までの処理ステップを実行する度に対応する非常用発電装置５０に対して装置属性情報に関するデータを取得する必要が生じる。
【００６７】
以上説明したように、本実施形態に係るメンテナンス情報提供装置１０では、非常用発電装置５０の動作環境が過酷であるほど重く穏和であるほど軽くなるように設定された重み付けに従って、時間の経過とともに増加するパラメータ値が、装置属性情報に基づいて予め設定された閾値を超えた場合（Ｓ１１１；Ｙｅｓ）、メンテナンス時期の到来情報をディスプレィ１２やプリンタ１５に出力する（Ｓ１１９）。これにより、非常用発電装置５０の動作環境が穏和である場合に比べて動作環境が過酷であるほど早期にパラメータ値が閾値を超えてメンテナンス時期の到来情報がディスプレィ１２等に出力される。また、この重み付けは、非常用発電装置５０の設置場所が含まれる地域または地方の気象情報に基づいて軽重が変動するため（Ｓ１０７）、設置場所の気象条件により左右される非常用発電装置５０の動作環境の変化も含めたメンテナンス時期の到来情報の出力が可能になる。したがって、適切なメンテナンス時期の到来情報を提供することができる。
【００６８】
また、本実施形態に係るメンテナンス情報提供装置１０では、メンテナンス作業の対象となる非常用発電装置５０に固有の装置属性情報に関するデータに基づいて重み付けの軽重が設定される（図４に示すＳ１０７）。これにより、非常用発電装置５０のそれぞれに異なり得るメンテナンス時期の到来情報の出力が可能になる。したがって、正確かつ適切なメンテナンス時期の到来情報を提供することができる。
【００６９】
さらに、本実施形態に係るメンテナンス情報提供装置１０では、最長でも、所定の法令等に従った法定点検や予め設定された定期点検の時期には、メンテナンス時期の到来情報がディスプレィ１２やプリンタ１５に出力されるため、別途、これらの点検時期を確認する労を要することなく、非常用発電装置５０のメンテナンス時期の管理が可能になる。したがって、法定点検等も含めて適切なメンテナンス時期の到来情報を提供することができる。
【００７０】
なお、上述した実施形態では、機器装置の例として、非常用発電装置５０を例示して説明したが、例えば、図５に示すような無停電電源装置６０に対しても、上述と同様な技術的な作用および効果を得ることができる。即ち、無停電電源装置６０は、筐体６１、トランス６２、コンバータ６３、バッテリ６４、インバータ６５、電圧センサ６６、制御ユニット６７、通信装置６９により構成されており、トランス６２等が筐体６１内に収容されて、例えば、電柱上や建物の屋上等の高所に設置されている。
【００７１】
制御ユニット６７は、入力端子ＩＮに入力される商用電力の電圧を電圧センサ６６により監視し、商用電力の給電が途絶えた場合、つまり停電した場合には、インバータ６５を起動してバッテリ６４から供給される直流電力を商用電力と同様の電圧に昇圧して交流電力に変換して、出力端子ＯＵＴに出力する。平時には、入力端子ＩＮから入力される交流電力をトランス６２を介して出力端子ＯＵＴに出力するとともに、コンバータ６３によりバッテリ６６の充電に適した直流電力に降圧変換してバッテリ６４を充電する。
【００７２】
このように構成される無停電電源装置６０に対しても装置属性情報が概念できる。即ち、筐体６１の塗装色や、防水、防塵、防錆、防振等の各対策の有無が装置属性情報に相当する。筐体６１を構成する金属板の板厚も装置属性情報に相当する。また、トランス６２、バッテリ６４のそれぞれの種類も、装置属性情報に相当する。さらに、コンバータ６３、インバータ６５および制御ユニット６７を構成する電子部品で耐熱温度が８５℃以下の部品（例えば、電解コンデンサ）の点数や、コネクタ等の機械的に電気接続を可能にする部品の総電極数等も、装置属性情報に相当する。また、無停電電源装置６０が設置された場所の周囲環境に関して予め設定されている環境属性情報についても、例えば、無停電電源装置６０の設置場所等について、前述の非常用発電装置５０と同様に概念でき、それらの環境属性情報に基づいてパラメータ値に適用される重み付けを設定する。これにより、上述した非常用発電装置５０と同様に、メンテナンス情報提供装置１０によるメンテナンス時期告知処理（図３、図４）を適用することが可能であり、上述と同様な技術的な作用および効果を得られる。
【００７３】
また、上述した実施形態では、非常用発電装置５０を構成するエンジン５２として、ディーゼルエンジンを例示して説明したが、同エンジンはガソリンエンジンであってもよい。ガソリンエンジンの場合には、補機類として予熱ヒータは不要になる。
【００７４】
さらに、上述した実施形態では、メンテナンス情報提供装置１０によるメンテナンス時期告知処理を所定時間（例えば６時間）ごとに実行したが、例えば、１日１回の実行でもよい。この場合、前回の実行時からの経過時間は２４時間になるため、ステップＳ１０９によるパラメータ値更新処理においては、２４時間に相当する加算値に「重み」を乗算したものをパラメータ値に加える必要がある。
【００７５】
また、上述した実施形態では、非常用発電装置５０や無停電電源装置６０の筐体５１，６１が金属製である場合を例示して説明したが、例えば、これらの筐体が、例えば、ＦＲＰ等の合成樹脂製である場合においても、筐体構造を装置属性情報として概念することができる。この場合には、紫外線や酸性雨が筐体の劣化や腐食の度合いに影響し、クラックや腐食が生じた箇所から雨水や粉塵が侵入し得る場合、筐体内に収容されるエンジン５２やインバータ６５等の故障の発生度合いを左右する。
【００７６】
また、上述した実施形態では、時間の経過とともに一定値ごと増加すると、法定点検や定期点検の時期にパラメータ値が所定の閾値を超え得るように、パラメータ値の初期値を設定したが、最も軽い重み付けをパラメータ値に適用し続けた場合（動作環境が最も穏和である場合）に所定の時期、例えば、２年後に所定の閾値を超え得るように設定してもよい。これにより、法定点検等の時期に関係なく、最長時のメンテナンス時期を任意に設定することができる。
【符号の説明】
【００７７】
１０…メンテナンス情報提供装置
１１…本体部（到来情報出力部、データ取得部）
１２…ディスプレィ（出力装置）
１３…ハードディスク（属性情報記憶部）
１５…プリンタ（出力装置）
１９…通信装置
５０…非常用発電装置（機器装置）
５１…筐体
５２…エンジン
５３…発電機
５４…セルモータ（補機類）
５５…バッテリ
５６…制御ユニット
５７…燃料タンク
５８…燃料ポンプ（補機類）
５９…通信装置
６０…無停電電源装置（機器装置）
６１…筐体
６２…トランス
６３…コンバータ
６４…バッテリ
６５…インバータ
６６…電圧センサ
６７…制御ユニット
６９…通信装置
９０…気象情報提供装置
１００…インターネット
【図１】
2015220879.tif 000003
【図２】
2015220879.tif 000004
【図３】
2015220879.tif 000005
【図４】
2015220879.tif 000006
【図５】
2015220879.tif 000007